(57)【特許請求の範囲】
【請求項１】
入水温センサは持たないが、少なくとも加熱手段、出湯温検出手段および水量検出手段を備え、入水路には温水供給装置を温水混合ユニットを介して接続可能とし、且つ、この温水混合ユニットからの燃焼不要指示を受付ける機能を備えた給湯装置において、
上記燃焼不要指示の下に上記加熱手段が非燃焼状態にあって上記水量検出手段が通水検出状態にあるときは、上記出湯温検出手段が検出する出湯温度を入水温度値そのものとして常時更新して認識する入水温認識手段と、
上記加熱手段を燃焼状態とする必要が生じたときに上記入水温認識手段における最新の入水温度値を基に上記加熱手段を制御する制御手段と、を備えたことを特徴とする給湯装置。
【請求項２】
請求項１に記載の給湯装置において、
上記加熱手段の発熱量を上記水量検出手段が検出する通水量で割り算して得た温度値を、上記出湯温検出手段が検出する出湯温度から引き算して入水温度値を求める入水温演算手段を有し、
上記入水温認識手段は、さらに上記加熱手段が燃焼状態であって上記水量検出手段が通水検出状態にあるときは、上記入水温演算手段によって求めた入水温度値を常時更新して認識するようにしたことを特徴とする給湯装置。
【発明の詳細な説明】
【０００１】
【発明の属する技術分野】
本発明は、例えば、自然エネルギーを利用した太陽熱温水器や廃熱を利用した温水器等で構成される温水供給装置が温水混合ユニットにて接続可能とされる給湯装置に関するものである。
【０００２】
【従来の技術】
最近は、省エネ等の観点から、例えば太陽熱利用の太陽熱温水器を温水混合ユニットを介して給湯装置に接続した給湯システムが種々提案されている。このような給湯システムは、太陽熱温水器での温水が給湯装置での給湯設定温度より高い場合は、上記温水混合ユニットにて温水と水とをミキシングし上記給湯設定温度となった混合水を給湯装置に給水すると共に給湯装置に対し燃焼不要を指示する一方、太陽熱温水器での温水が給湯設定温度より低い場合は、給湯装置におけるバーナの燃焼運転によって上記混合水を加熱し上記給湯設定温度にして出湯させる（特開平１０−４７７５２号公報）。
【０００３】
そして、上記給湯装置には太陽熱温水器からの温水が給水されてくるので、バーナの燃焼運転によっては給湯装置から予期せぬ高温のお湯が出湯され得る。そこで、給湯装置には入水温センサおよび水量センサを設け、この入水温センサで検出する入水温度が１０℃とか、３０℃等の比較的低温の温度以下の場合にバーナを点火準備状態とし、そして、水量センサによって最低通水量の水量を検出すると、バーナを点火させて燃焼運転するものが提案されている（特開平９−２１０４６１号公報）。これによって、使用者が予期しない高温出湯を防止すると共に、バーナの着火が素早くなり湯温の立ち上がりを早くできるというものである。
【０００４】
【発明が解決しようとする課題】
しかしながら、給湯装置の中には、故障ファクターの低減、部品点数の低減等から入水温センサを設けないようにしたものがあり、このような給湯装置に上記太陽熱温水器等の温水供給装置を接続しようとしても、給湯装置には入水温度を直接に検出できないため、上記のような給湯システムを確立することができない。
【０００５】
すなわち、入水温センサを持たない給湯装置では、入水温度を熱量計算によって求めることは可能である。この熱量計算は、出湯温センサが検出する出湯温度から、バーナの燃焼による発熱量を水量センサが検出する通水量で割り算して求めたバーナによる上昇温度を引き算することで、入水温度を求めるものである。よって、バーナの燃焼運転中にはこの熱量計算によって入水温度を認識することができても、バーナが燃焼運転されていないときはバーナ燃焼の発熱量が無いため上記熱量計算によっても入水温度を認識できないからである。
【０００６】
従って、仮に、このような給湯装置に上記太陽熱温水器を接続した場合、太陽熱温水器での温水の温度が高く上記温水混合ユニットからの指示で給湯装置が燃焼不要の状態にある場合に、次に太陽熱温水器の温水の温度が変動して低くなったり給湯設定温度が高く変更されたりした場合等に燃焼要の状態に移行すると、実際に燃焼運転されてからバーナの発熱量（燃焼量）を制御して出湯温度を温調することとなる。この場合、給湯装置のバーナが非燃焼状態から燃焼状態に移行して燃焼運転に入ってから上記熱量計算によって入水温度を求めていたのでは入水温度認識の遅れが生じるため、上記温調によって出湯温度が安定するまでには、ある程度の時間を要する。その結果、素早い湯温の立上げを実現することが困難である一方、太陽熱温水器からの温水の温度が比較的高かったり給湯装置での通水量が比較的少なかったりする場合等には上記温調の間に使用者が予期していない高温出湯がなされる事態も起こり得る。
【０００７】
本発明は、上記事情に鑑みてなされたものであり、入水温センサを持たない給湯装置であっても、入水温度を素早く認識可能とし安全性の確保と共に温調性能を向上させたうえで温水供給装置を接続できるようにすることを課題とする。
【０００８】
【課題を解決するための手段】
（１）本発明に係る給湯装置（請求項１）は、入水温センサは持たないが、少なくとも加熱手段、出湯温検出手段および水量検出手段を備え、入水路には温水供給装置を温水混合ユニットを介して接続可能とし、且つ、この温水混合ユニットからの燃焼不要指示を受付ける機能を備えた給湯装置において、上記燃焼不要指示の下に上記加熱手段が非燃焼状態にあって上記水量検出手段が通水検出状態にあるときは、上記出湯温検出手段が検出する出湯温度を入水温度値そのものとして常時更新して認識する入水温認識手段と、上記加熱手段を燃焼状態とする必要が生じたときに上記入水温認識手段における最新の入水温度値を基に上記加熱手段を制御する制御手段と、を備えたことを特徴とするものである。
【０００９】
これによると、上記温水供給装置での温水温度が十分高く給湯装置の加熱手段が燃焼不要の状態にある場合は、上記入水温認識手段によって出湯温度が入水温度値そのものとして常時更新して認識される。すなわち、加熱手段が燃焼運転されていない状態では入水側と出水側は同じ温度にあるとみなせるからである。
【００１０】
次に上記温水供給装置での温水温度が低下等し加熱手段を燃焼させる必要が生じたとき、上記制御手段によって上記入水温認識手段における最新の入水温度値を基に上記加熱手段が制御される。すなわち、このときの加熱手段の燃焼運転当初は、上記入水温認識手段で認識された入水温度値と、水量検出手段で検出された通水量とに基づいて、出湯温度が給湯設定温度となるように加熱手段の燃焼量が制御される。これにより、加熱手段が非燃焼状態から燃焼状態に移行するとき、入水温度認識の遅れが生じないため、加熱手段を素早く最適な燃焼状態にすることができる。
【００１１】
（２）また、本発明に係る給湯装置（請求項２）は、上記給湯装置（請求項１）において、上記加熱手段の発熱量を上記水量検出手段が検出する通水量で割り算して得た温度値を、上記出湯温検出手段が検出する出湯温度から引き算して入水温度値を求める入水温演算手段を有し、上記入水温認識手段は、さらに上記加熱手段が燃焼状態であって上記水量検出手段が通水検出状態にあるときは、上記入水温演算手段によって求めた入水温度値を常時更新して認識するようにしたことを特徴とするものである。
【００１２】
これによると、加熱手段が燃焼状態にある場合に出湯口のカラン等が閉じられて一旦加熱手段の燃焼が停止された後、再び出湯口のカラン等が開けられて加熱手段が燃焼状態に移行するとき、上記制御手段によって上記入水温認識手段における最新の入水温度値を基に上記加熱手段が制御される。これにより、加熱手段が燃焼状態から一旦燃焼停止され再び燃焼状態に移行するときでも、入水温度認識の遅れが生じないため、加熱手段を素早く最適な燃焼状態にすることができる。
【００１３】
【発明の効果】
以上のように、請求項１に係る発明によると、上記入水温認識手段で加熱手段が非燃焼状態にあるときの最新の入水温度値が認識されているので、加熱手段が非燃焼状態から燃焼状態に切り替るときでも、入水温度を素早く認識することができ、これによって温調性能をよくすることができる。従って、加熱手段の非燃焼状態から燃焼状態への切り替り時に湯温の立ち上がりを早くできると共に、この時に使用者の予期せぬ高温出湯となることをも防止することができる。
しかも、入水温センサを持たないので、その分の故障ファクターが少なく、また、部品点数の低減による低コスト化をも実現できる。
【００１４】
また、請求項２に係る発明によると、さらに、上記入水温認識手段で加熱手段が燃焼状態にあるときの最新の入水温度値が認識されているので、加熱手段が燃焼状態から一旦燃焼停止され再び燃焼状態になるときでも、入水温度を素早く認識することができ、これによって温調性能をよくすることができる。従って、加熱手段の一時的な燃焼停止状態から燃焼状態への切り替り時にも湯温の立ち上がりを早くできると共に、この時に使用者の予期せぬ高温出湯となることをも防止することができる。
【００１５】
【発明の実施の形態】
以下に、本発明の実施の形態について添付図面を参照しながら説明する。
以下の実施の形態では、温水供給装置として太陽熱温水器を用い、この太陽熱温水器を温水混合ユニットを介して本発明の給湯装置に接続したソーラ給湯システムを例に挙げて説明する。
【００１６】
図１は、ソーラ給湯システムの全体構成図を示す。このソーラ給湯システムは、太陽熱温水器５を温水混合ユニット１を介して給湯装置７に接続したものであり、以下にこれら各部の構成から説明する。
【００１７】
（太陽熱温水器）
上記太陽熱温水器５は、太陽熱を吸収する集熱器５０と貯湯タンク５１内とを循環するように形成された蓄熱循環路５２を具備しており、この蓄熱循環路５２にはホッパ５３と循環ポンプ５４とが配設されている。また、貯湯タンク５１の底部には、上水道等の水源の給水路６０から延設されて水を供給するソーラ用給水路５５と、水抜栓５７を具備する水抜路５８とが接続されていると共に、貯湯タンク５１の頂部には、この貯湯タンク５１のソーラ温水を取出すソーラ出湯路５６が引き出されている。そして、上記循環ポンプ５４を駆動させ畜熱循環路５２内の液状媒体を循環させると、上記集熱器５０で加熱された液状媒体が畜熱循環路５２を通じて貯湯タンク５１内へ導かれて貯湯タンク５１内の水を熱交換加熱してソーラ温水とし、この貯湯タンク５１内のソーラ温水がソーラ出湯路５６を経て上記温水混合ユニット１側に送り込まれる。
【００１８】
（温水混合ユニット）
温水混合ユニット１は、ユニット本体１０に、ソーラ温水路１４、冷水路１５および混合水路１６を備える通水回路１３と、上記混合水路１６に流入されるソーラ温水と水の混合を行う混合調節器１２と、この温水混合ユニット１を制御するためのユニットコントローラ１１とを備える。
【００１９】
上記ソーラ温水路１４は、太陽熱温水器５からのソーラ温水が通される管路であって、その流入口に上記太陽熱温水器５のソーラ出湯路５６が接続され、その下流端で上記混合水路１６に接続されている。上記冷水路１５は、上水道等の水源からの水が通される管路であって、その流入口に給水路６０の一部が減圧弁６１の下流から分岐された給水分岐路１０が接続され、その下流端で上記混合水路１６に接続されている。上記混合水路１６は、ソーラ温水と水との混合水が通される管路であって、上記ソーラ温水路１４および上記冷水路１５が合流されると共にその流出口に給湯装置７の入水路８６が接続される。上記混合調節器１２は、２軸制御あるいは１軸制御の調節弁を備え、ソーラ温水路１４からのソーラ温水と冷水路１５からの水との混合割合を決定する。なお、上記ソーラ温水路１４、上記冷水路１５および上記混合水路１６には、適宜、温度センサや水量センサが設けられていてもよい。
【００２０】
上記ユニットコントローラ１１は、上記給湯装置７の給湯コントローラ７２と通信線（信号線）７７で接続されて通信機能を有し、リモコン７１での給湯設定温度情報や運転モード情報、燃焼制御情報等の各種情報が受信される一方、温水混合ユニット１における混合水の混合制御情報、給湯装置７に対する燃焼不要の指示等の各種情報が給湯コントローラ７２に送信される。
【００２１】
また、このユニットコントローラ１１は、リモコン７１での運転モードに応じて、太陽熱温水器５でのソーラ温水の温度と、リモコン７１での給湯設定温度とを比較して、上記混合調節器１２に対しミキシング動作の制御を行う。例えば、ソーラ温水の温度が、給湯設定温度（給湯設定温度に数℃加減算した温度としてもよい。）より高ければ、給湯設定温度となるように上記混合調節器１２に対する混合水のミキシング制御がされ、この場合は同時に給湯装置７へ燃焼不要の指示が出される。一方、ソーラ温水の温度が、給湯設定温度より低ければ、給湯装置７におけるバーナ３の規定燃焼（例えば最小燃焼）による上昇温度分を給湯設定温度から減算した目標混合温度となるように上記混合調節器１２に対する混合水のミキシング制御がされる。
【００２２】
（給湯装置）
上記給湯装置７は、熱交換器７３を加熱するバーナ３と、熱交換器７３が内蔵された装置本体７０と、各種操作部等（運転スイッチ、浴槽の湯張りスイッチ・追焚スイッチ、湯温設定器、燃焼表示部等）が配置されたリモコン７１と、このリモコン７１と通信ケーブル７８で接続されてこの給湯装置７を制御する給湯コントローラ７２とを備える。
【００２３】
上記バーナ３にはこれに接続されるガス配管の途中にガス比例弁３１と電磁弁３２とが設けられている。この電磁弁３２の開閉によってガス配管へのガスの供給と停止とが行われる。また、上記ガス比例弁３１の開度調節によってバーナ３における燃焼量（発熱量）の強弱が制御される。
【００２４】
上記熱交換器７３には、入水路８６と出湯路８４が接続されると共に、浴槽８１との間で湯張り及び追焚きに使用される往き管８２と戻り管８３が接続されている。また、入水路８６には、水量センサ６２が設けられており、上記温水混合ユニット１からの混合水の水量が検出される。出湯路８４には、出湯温センサ６１が設けられており、この出湯路８４を流れる温水の温度が検出される。また、出湯路８４には、往き管８２との間に浴槽８１へ温水を供給するための風呂落とし込み路７４が設けられ、この風呂落とし込み路７４には、落とし込み開閉弁７５が設けられ、その下流の往き管８２との接続点には三方弁７６が設けられている。上記落とし込み開閉弁７５および上記三方弁７６は、上記リモコン７１で入力された運転モードに基づいて上記給湯コントローラ７２によって制御される。そして、上記出湯路８４の末端にはカラン等の出湯口８５が設けられている。
【００２５】
また、この給湯装置７は、入水温センサを持たないが、給湯コントローラ７２によって上記温水混合ユニット１（ユニットコントローラ１１）からの燃焼不要指示を受付ける機能を備える。
上記給湯コントローラ７２は、入水温演算部７２１、入水温認識部７２２および制御部７２３を有する。これら各部７２１〜７２３は、例えばマイコンやシーケンサ等で構成することができる。
【００２６】
上記入水温演算部７２１は、上記バーナ３の燃焼による発熱量Ａを上記水量センサ６２が検出する通水量Ｑで割り算して得た温度値を、上記出湯温センサ６１が検出する出湯温度Ｔから引き算して入水温度値を求めるものである。上記入水温認識部７２２は、上記バーナ３が非燃焼状態であって上記水量センサ６２が通水検出状態にあるときは、上記出湯温センサ６１が検出する出湯温度を入水温度値そのものとして常時更新して認識し、また、上記バーナ３が燃焼状態であって上記水量センサ６２が通水検出状態にあるときは、上記入水温演算部７２１によって求めた入水温度値を常時更新して認識するものである。上記制御部７２３は、上記温水混合ユニット１（ユニットコントローラ１１）から燃焼不要の指示が送られてきた場合は上記バーナ３におけるガス比例弁３１を完全に閉じるか電磁弁３２を閉じてバーナ３を燃焼させないようにする。また、上記制御部７２３は、上記温水混合ユニット１（ユニットコントローラ１１）から燃焼不要の指示が送られてこなかった場合は上記電磁弁３２を開けた状態にしバーナ３を点火準備状態にし、上記水量センサ６２が通水を検出するとバーナ３を燃焼させるようにする。なお、バーナ３を燃焼させるタイミングとしては、上記水量センサ６２で通水を検出したそのときでもよいし、上記水量センサ６２で一定以上の通水量（例えば、２ｄｍ3／分）を検出したときでもよい。
【００２７】
また、上記制御部７２３は、上記バーナ３を燃焼状態とする必要が生じたときに上記入水温認識部７２２における最新の入水温度値を基に上記バーナ３を制御する。すなわち、上記入水温認識部７２２で認識された入水温度値と、水量センサ６２で検出された通水量に基づいて、熱交換器７３で加熱して得られる湯温がリモコン７１での給湯設定温度となるように、ガス比例弁３１の開度を調節してバーナ３の燃焼量をフィードフォワード制御する。そして、給湯運転中には出湯温センサ６１で検出される出湯温度と上記給湯設定温度とが一致しない場合、この出湯温度と給湯設定温度との偏差に基づいて、出湯温度が給湯設定温度と一致するように、ガス比例弁３１の開度を調節してバーナ３の燃焼量をフィードバック制御する。
【００２８】
（給湯装置の動作）
次に、上記給湯装置の動作を説明する。
図２は、上記給湯コントローラ７２による動作手順を示したフローチャートである。図２を参照して、給湯装置７のリモコン７１で運転スイッチがＯＮされると（ステップＳ１）、温水混合ユニット１から燃焼不要の指示がなされているか否か確認される（ステップＳ２）。すなわち、太陽熱温水器５におけるソーラ温水の温度が給湯装置７のリモコン７１での給湯設定温度よりも高い場合には温水混合ユニット１は給湯装置７に対して燃焼不要の指示をする。なお、ソーラ温水の温度はソーラ温水路１４に設けた温度センサ等によって検知されてもよい。
【００２９】
そして、上記燃焼不要の指示がなされていた場合に水量センサ６２によって通水が検出されると（ステップＳ３）、入水温認識部７２２において出湯温センサ６１が検出する出湯温度を入水温度値そのものとして認識する（ステップＳ４）。この入水温認識動作は、バーナ３による燃焼が必要となるまで繰り返し行われる（ステップＳ５、Ｓ３、Ｓ４）。従って、バーナ３が非燃焼状態であって通水されている間は、その出湯温度が入水温度値そのものとして常時更新して認識される。
【００３０】
次に、太陽熱温水器５の温水の温度が変動して低くなったりリモコン７１での給湯設定温度が高く変更されたり等しバーナ３の燃焼が必要となると（ステップＳ５）、上記制御部７２３によって上記入水温認識部７２２における最新の入水温度値を基にバーナ３での燃焼量を制御する（ステップＳ６）。すなわち、入水温認識部７２２での入水温度値と、水量センサ６２で検出する通水量とに基づいて、リモコン７１で設定された給湯設定温度となるように、ガス比例弁３１の開度調節をしてバーナ３の燃焼量をフィードフォワード制御する。これにより、バーナ３が非燃焼状態から燃焼状態に移行するときに、入水温度認識の遅れが生じないため、バーナ３を素早く最適な燃焼状態にすることができる。従って、バーナ３の非燃焼状態から燃焼状態への切り替り時に湯温の立ち上がりを早くできると共に、この時に使用者の予期せぬ高温出湯となることをも防止することができる。
【００３１】
なお、上記ステップＳ６においてバーナ３の燃焼量制御を行う際に、制御部７２３は、上記入水温認識部７２２で認識されていた最新の入水温度値が一定温度値以下の場合にはバーナ３を直ちに点火し燃焼運転させるようにし、上記入水温度値が一定温度値を超えていた場合は一定時間（例えば、数秒間）上記入水温認識部７２２で入水温認識を行った後に上記バーナ３を点火し燃焼運転させるようにしてもよい。これによって、入水温度認識部７２２での入水温度が一定温度以下の場合に上記バーナ３を直ちに点火し燃焼運転させるので、出湯開始当初においてより確実に使用者が予期しない高温出湯を防止すると共に、バーナの着火が素早くなって湯温の立ち上がりを早くできる。また、入水温度認識部７２２での入水温度が一定温度を超える場合は、直ちにバーナ３を燃焼運転するとこのときバーナ３が最小燃焼量以上の加熱が行われてしまって使用者の予期せぬ高温出湯ともなり兼ねないが、数秒間等の一定時間に入水温認識部７２２で再び入水温認識を行った後にバーナ３を点火し燃焼運転させることで、出湯温度が給湯設定温度となるバーナ３の適切な燃焼量を決定したうえでバーナ３の燃焼運転を行える。これにより、出湯開始当初の入水温度が一定温度を超える場合でも確実に使用者が予期しない高温出湯を防止すると共に、給湯設定温度への湯温の立ち上がりを早く且つスムーズに行える。なお、上記一定温度とは、バーナ３を燃焼運転しても高温出湯とならない比較的低温の温度を意味し、例えば、１０℃、２０℃等の如く、実験等によって任意に決定することができる。
【００３２】
そして、このステップＳ６における給湯運転中では出湯温センサ６１で検出される出湯温度とリモコン７１での給湯設定温度とが不一致である場合には、出湯温度と給湯設定温度の偏差に基づいて、出湯温度が給湯設定温度と一致するようにガス比例弁３１の開度調節をしてバーナ３の燃焼量をフィードバック制御する。
【００３３】
また、バーナ３が燃焼状態にあって水量センサ６２が通水を検出しているとき、入水温演算部７２１がバーナ３の燃焼による発熱量Ａ、水量センサ６２で検出する通水量Ｑおよび出湯温センサ６１で検出する出湯温度Ｔに基づく熱量計算（出湯温度Ｔ−（発熱量Ａ／通水量Ｑ））によって入水温度を求める。このとき、上記入水温認識部７２２は、上記入水温演算部７２１によって求めた入水温度値を常時更新して認識する（ステップＳ７、Ｓ８）。
【００３４】
そして、バーナ３が燃焼状態にある場合に出湯口８５のカラン等が閉じられて一旦バーナ３の燃焼が停止された後、再び出湯口８５のカラン等が開けられてバーナ３が燃焼状態に移行するとき、上記制御部７２３によって上記入水温認識部７２２における最新の入水温度値を基に上記バーナ３の燃焼量が上記フィードフォワード制御される（ステップＳ９、Ｓ５、Ｓ６）。このとき上記入水温認識部７２２で認識されている最新の入水温度値は、ステップＳ７において上記入水温演算部７２１で求めた値である。従って、このときの入水温度値は、温水混合ユニット１から入水路８６に送り込まれる混合水の温度とみなせ、且つ、通水停止される直前の値である。これにより、バーナ３が燃焼状態から一旦燃焼停止され再び燃焼状態に移行するときでも、入水温度認識の遅れが生じないため、バーナ３を素早く最適な燃焼状態にすることができ、温調性能をよくすることができる。従って、バーナ３の一時的な燃焼停止状態から燃焼状態への切り替り時にも湯温の立ち上がりを早くできると共に、この時に使用者の予期せぬ高温出湯となることをも防止することができる。
【００３５】
そして、最終的にリモコン７１で運転スイッチがＯＦＦされると（ステップＳ１０）、動作が終了される。なお、以上の動作において、運転スイッチがＯＮされたときにバーナ３の燃焼が必要なときは（ステップＳ２でＮＯの判断）、入水温演算部７２１による熱量計算にて入水温度を求めたうえでバーナ３の燃焼量制御がなされる（ステップＳ７）。
【００３６】
以上のように、実施の形態による給湯装置によれば、上記入水温認識部７２２でバーナ３が非燃焼状態にあるときの最新の入水温度値が認識されているので（ステップＳ４）、バーナ３が非燃焼状態から燃焼状態に切り替るときでも（ステップＳ５→Ｓ６）、入水温度を素早く認識することができ、これによって温調性能をよくすることができる。従って、バーナ３の非燃焼状態から燃焼状態への切り替り時に湯温の立ち上がりを早くできると共に、この時に使用者の予期せぬ高温出湯となることをも防止することができる。しかも、入水温センサ６１を持たないので、その分の故障ファクターが少なく、また、部品点数の低減による低コスト化をも実現できる。
【００３７】
また、上記入水温認識部７２２でバーナ３が燃焼状態にあるときの最新の入水温度値が認識されているので、バーナ３が燃焼状態から一旦燃焼停止され再び燃焼状態になるときでも、入水温度を素早く認識することができ、これによって温調性能をよくすることができる。従って、バーナ３の一時的な燃焼停止状態から燃焼状態への切り替り時にも湯温の立ち上がりを早くできると共に、この時に使用者の予期せぬ高温出湯となることをも防止することができる。
【００３８】
一方、バーナの燃焼→非燃焼→燃焼の運転状態に切り替る場合、従来のものではバーナの非燃焼時は入水温度が認識されないから、前回の燃焼状態のときに熱量計算で求めた入水温度値を基に初期のバーナの燃焼量を決定することも可能であった。しかし、その場合、前回の燃焼状態のとき認識されていた入水温度（混合水の温度）が低かった場合はこの再燃焼時にバーナが必要燃焼量以上の加熱を行ってしまって出湯当初に高温出湯されるおそれがあった。
【００３９】
ところが、上記実施の形態では、バーナ３の燃焼状態の運転（ステップＳ７，Ｓ８の繰り返し）から非燃焼状態の運転に移り（ステップＳ９からＳ５へ移り、さらにＳ３へ移ってＳ３，Ｓ４，Ｓ５の繰り返し）、再び燃焼状態の運転に切り替る場合（ステップＳ５からＳ６）でも、バーナ３の非燃焼状態のときの入水温度が認識されているから（ステップＳ４）、この入水温度値により初期のバーナ３の燃焼量が適切に決定される。従って、このような燃焼→非燃焼→燃焼のように再度燃焼状態に切り替った場合における出湯開始当初においても使用者が予期しない高温出湯を確実に防止できると共に、湯温の立ち上がりを早くできる。
【００４０】
なお、上記実施の形態では、給湯装置７に接続する温水供給装置として太陽熱温水器５を用いるが、これに限らず、例えば廃熱利用の温水器等その他種々の温水供給装置であってもよい。
【図面の簡単な説明】
【図１】実施の形態における、ソーラ給湯システムの全体構成を示す構成図である。
【図２】実施の形態の給湯装置における制御フローを示すフローチャートである。
【符号の説明】
１  温水混合ユニット
３  バーナ（加熱手段）
５  太陽熱温水器（温水供給装置）
７  給湯装置
１０  ユニット本体
１１  ミキシングコントローラ
１２  混合調節器
１３  通水回路
１４  ソーラ温水路
１５  冷水路
１６  混合水路
３１  ガス比例弁
３２  電磁弁
６１  出湯温センサ（出湯温検出手段）
６２  水量センサ（水量検出手段）
７０  装置本体
７１  リモコン
７２  給湯コントローラ
７３  熱交換器
７７  通信線
７８  通信ケーブル
８１  浴槽
８２  往き管
８３  戻り管
８４  出湯路
８５  出湯口
８６  入水路
７２１  入水温演算部
７２２  入水温認識部
７２３  制御部
【図１】
0003720745.tif 000002
【図２】
0003720745.tif 000003